(57)【要約】【課題】少ない回数のキー操作によって、文字入力を可能とし、また、入力した文字の修正を即時にでき、複数回の修正をも連続して可能として、操作性を向上し、さらに、視覚的にもユーザに使いやすい携帯端末用文字入力装置、携帯端末用文字入力方法、携帯端末を提供する。【解決手段】テンキー２１の内の１つを選択して入力される第一入力による仮名文字入力を行う第一仮名文字入力手段と、第一入力と第一入力の後に十字キー２３により選択された方向を入力する第二入力との組み合わせによる仮名文字入力を行う第二仮名文字入力手段と、第二入力の後に十字キー２３を押下することにより仮名文字入力の変更を行う仮名文字入力変更手段４１を制御部４に設けて構成される。【選択図】      図１
2005056275.tif 000002
【特許請求の範囲】
【請求項１】
文字入力を行うテンキーおよび記号キーと、４方向の内の１つの方向を選択して入力する選択キーと、文字入力を決定する決定キーと、文字消去を行うクリアキーと、仮名文字をマトリックス表で格納するメモリと、文字表示を行う表示部とを有し、前記テンキーの内の１つを選択して入力する第一入力により仮名文字入力を行う第一仮名文字入力手段と、前記第一入力と前記第一入力の後に前記選択キーにより選択された方向を入力する第二入力との組み合わせにより仮名文字入力を行う第二仮名文字入力手段と、前記第二入力の後に前記選択キーを押下することにより前記仮名文字入力の変更を行う仮名文字入力変更手段とを有することを特徴とする携帯端末用文字入力装置。
【請求項２】
前記仮名文字入力変更手段は、前記決定キーを押下するまで、前記選択キーを連続押下することにより前記仮名文字入力の変更を続行する手段を有することを特徴とする請求項１記載の携帯端末用文字入力装置。
【請求項３】
前記仮名文字入力変更手段は、前記第一入力に対応する前記マトリックス表の行の前記仮名文字の変更を行う手段を有することを特徴とする請求項１記載の携帯端末用文字入力装置。
【請求項４】
前記メモリは、前記テンキーと前記選択キーとの前記マトリックス表を有することを特徴とする請求項１記載の携帯端末用文字入力装置。
【請求項５】
前記表示部に文字を表示させる文字表示手段は、前記第一入力が入力されると前記テンキーに対応した前記マトリックス表の前記仮名文字を前記表示部に表示させる手段と、前記第一入力の後前記第二入力が入力されると前記マトリックス表の前記テンキーと前記選択キーとに対応する前記仮名文字に遷移した前記仮名文字を前記表示部に表示させる手段とを有することを特徴とする請求項１記載の携帯端末用文字入力装置。
【請求項６】
前記クリアキーは、押下されたとき、前記表示部上で１文字消去し１文字分後退することを特徴とする請求項１記載の携帯端末用文字入力装置。
【請求項７】
前記選択キーは、十字キーまたはカーソルキーを有することを特徴とする請求項１記載の携帯端末用文字入力装置。
【請求項８】
文字入力を行うテンキーおよび記号キーと、４方向の内の１つの方向を選択して入力する選択キーと、文字入力を決定する決定キーと、文字消去を行うクリアキーと、仮名文字をマトリックス表で格納するメモリと、文字表示を行う表示部とを有し、前記テンキーの内の１つを選択して入力する第一入力により仮名文字入力を行うステップと、前記第一入力の後に前記選択キーにより方向を選択して第二入力を行うステップと、前記第一入力と前記第二入力との組み合わせから仮名文字入力を行うステップと、前記第二入力の後に前記選択キーを押下することにより仮名文字入力変更手段で前記仮名文字入力の変更を行うステップとを有することを特徴とする携帯端末用文字入力方法。
【請求項９】
前記仮名文字入力変更手段は、前記決定キーを押下するまで、前記選択キーを連続押下することにより前記仮名文字入力の変更を続行することを特徴とする請求項８記載の携帯端末用文字入力方法。
【請求項１０】
前記仮名文字入力変更手段は、前記第一入力に対応する前記マトリックス表の行の前記仮名文字の変更を行うことを特徴とする請求項８記載の携帯端末用文字入力方法。
【請求項１１】
前記メモリは、前記テンキーと前記選択キーとの前記マトリックス表を有することを特徴とする請求項８記載の携帯端末用文字入力方法。
【請求項１２】
前記表示部に文字を表示させる文字表示手段は、前記第一入力が入力されると前記テンキーに対応した前記マトリックス表の前記仮名文字を前記表示部に表示させるステップと、前記第一入力の後前記第二入力が入力されると前記マトリックス表の前記テンキーと前記選択キーとに対応する前記仮名文字に遷移した前記仮名文字を前記表示部に表示させるステップとを有することを特徴とする請求項８記載の携帯端末用文字入力方法。
【請求項１３】
前記クリアキーは、押下されたとき、前記表示部上で１文字消去し１文字分後退することを特徴とする請求項８記載の携帯端末用文字入力方法。
【請求項１４】
前記選択キーは、十字キーまたはカーソルキーを有することを特徴とする請求項８記載の携帯端末用文字入力方法。
【請求項１５】
筐体と、前記筐体に実装される複数のキー群からなる操作部と、文字表示を行う表示部と、前記表示部に文字を表示させる文字表示手段と、前記キー群を操作して仮名文字入力を行う仮名文字入力手段と、仮名文字をマトリックス表で格納するメモリとを有し、前記キー群は、文字入力を行うテンキーおよび記号キーと、４方向の内の１つの方向を選択して入力する選択キーと、文字入力を決定する決定キーと、文字消去を行うクリアキーとを有し、前記仮名文字入力手段は、前記テンキーの内の１つを選択して入力する第一入力により仮名文字入力を行う第一仮名文字入力手段と、前記第一入力と前記第一入力の後に前記選択キーにより選択された方向を入力する第二入力との組み合わせにより仮名文字入力を行う第二仮名文字入力手段と、前記第二入力の後に前記選択キーを押下することにより前記仮名文字入力の変更を行う仮名文字入力変更手段とを有することを特徴とする携帯端末。
【請求項１６】
前記仮名文字入力変更手段は、前記決定キーを押下するまで、前記選択キーを連続押下することにより前記仮名文字入力の変更を続行する手段を有することを特徴とする請求項１５記載の携帯端末。
【請求項１７】
前記仮名文字入力変更手段は、前記第一入力に対応する前記マトリックス表の行の前記仮名文字の変更を行う手段を有することを特徴とする請求項１５記載の携帯端末。
【請求項１８】
前記メモリは、前記テンキーと前記選択キーとの前記マトリックス表を有することを特徴とする請求項１５記載の携帯端末。
【請求項１９】
前記文字表示手段は、前記第一入力が入力されると前記テンキーに対応した前記マトリックス表の前記仮名文字を前記表示部に表示させる手段と、前記第一入力の後前記第二入力が入力されると前記マトリックス表の前記テンキーと前記選択キーとに対応する前記仮名文字に遷移した前記仮名文字を前記表示部に表示させる手段とを有することを特徴とする請求項１５記載の携帯端末。
【請求項２０】
前記クリアキーは、押下されたとき、前記表示部上で１文字消去し１文字分後退することを特徴とする請求項１５記載の携帯端末。
【請求項２１】
前記選択キーは、十字キーまたはカーソルキーを有することを特徴とする請求項１５記載の携帯端末。
【発明の詳細な説明】
【技術分野】
【０００１】
本発明は、携帯端末用文字入力装置、携帯端末用文字入力方法、携帯端末に関し、特に、少ないキー操作によって、スムーズな文字入力を可能とし、操作性を向上させた携帯端末用文字入力装置、携帯端末用文字入力方法、携帯端末に関する。
【背景技術】
【０００２】
従来、小型携帯端末の代表的な携帯電話における文字入力は、実装スペースの制約上、限られたキーでの文字入力が必須となるため、通常、テンキーのそれぞれに５０音の行が割り当てられており、何れかのテンキーを押下した回数により、割り当てられている行の文字が変化していく方法が採用されており、例えば、「１」キーを５回押下することであ行の「お」が入力されることになる。
【０００３】
従って、この文字入力方法は、ユーザにとって、目的の文字を入力ために、テンキーを押下する操作回数が多くなり、文字入力に時間が掛かり、操作性が悪いものとなる。
【０００４】
そこで、文字入力の操作性を向上させるべく、現在、２タッチ入力方式（詳細な説明は省略）が開発されているが、この２タッチ入力方式は、通常、ダイヤル部にのみ入力機能を持たせ、十字キーは、入力した文字間の移動機能、ならびに、入力箇所の決定機能にしか使用していないため、入力した文字の修正は一度消去しなければできず、入力文字を消去することなく、即時修正、および、複数回の修正を連続して行うことができない。
【０００５】
操作性を向上させる技術として、代表文字とメンバ文字とから構成される文字グループを複数設定しておき、代表文字を選択するための代表スイッチ群と、メンバー文字を選択するための１つのメンバスイッチとを備え、代表スイッチ群から代表文字を選択し、代表文字支配下のメンバ文字をメンバスイッチに割り当てると共に代表文字を表示装置に表示し、代表文字を表示後、メンバスイッチによりメンバ文字が選択される都度、メンバ文字を表示装置に表示することにより、所望の文字を円滑かつスピーディーに入力するものがある（例えば、特許文献１参照。）。
【０００６】
また、ジョイススティックの８方向の位置によって、各々の方向制御信号を発生する構成とし、定義位置と対応するブロックを表示部に主画面としてマトリックス表示し、主画面の中の１つのブロックを選択して強調表示し、強調表示したブロックのサブ画面を表示し、サブ画面から求めるブロックを選択することで、所定の文字セットの中の何れかの文字をジョイススティックの２回の操作のみで選択できるようにするものもある（例えば、特許文献２参照。）。
【０００７】
【特許文献１】特開２００２ー３４２０１１号公報
【０００８】
【特許文献２】特開２００２ー０６２９７３号公報
【発明の開示】
【発明が解決しようとする課題】
【０００９】
上述の文字入力の操作性を向上させる２タッチ入力方式は、通常、ダイヤル部にのみ入力機能を持たせ、十字キーは、入力した文字間の移動機能、ならびに、入力箇所の決定機能にしか使用していないため、入力した文字の修正は一度消去しなければできず、入力文字を消去することなく、即時修正、および、複数回の修正を連続して行うことができないという課題がある。
【００１０】
特許文献１記載の技術は、携帯電話に適用する場合、従来の標準的なキー以外に余分にメンバスイッチを設けることになり、実装領域の限られたスペースしか無い携帯電話には、実装上において困難になり、また、メンバ文字を選択するとき、横長のメンバスイッチへの接触を指で押下して保持したまま左右にスライドさせることにより、メンバ文字を変化させているが、ワンタッチでの操作と比較すると操作性に難点があるという課題がある。
【００１１】
特許文献２記載の技術は、ジョイススティックの８方向の内の何れかの位置を選択する操作を２回行うことによって文字入力を行っているが、ジョイススティックにより方向選択して入力した文字の修正は、主画面のブロック選択、サブ画面のブロック選択という一連の操作を行う必要があり、入力文字を消去することなく、即時修正、および、複数回の修正を連続して行うことができないという課題がある。
【００１２】
本発明の目的は、文字入力機能をダイヤル部と選択キー（十字キーまたはカーソルキー）とに持たせ、十字キーを使用することによって、少ない回数のキー操作によって、文字入力を可能とし、また、入力した文字の修正を即時にでき、複数回の修正をも連続して可能として、操作性を向上し、さらに、従来のキー配置を流用するため、ダイヤル部と十字キーとが離れて設けられていることにより、視覚的にもユーザに使いやすい携帯端末用文字入力装置、携帯端末用文字入力方法、携帯端末を提供することにある。
【課題を解決するための手段】
【００１３】
本発明の携帯端末用文字入力装置は、文字入力を行うテンキーおよび記号キーと、４方向の内の１つの方向を選択して入力する選択キーと、文字入力を決定する決定キーと、文字消去を行うクリアキーと、仮名文字をマトリックス表で格納するメモリと、文字表示を行う表示部とを有し、テンキーの内の１つを選択して入力する第一入力により仮名文字入力を行う第一仮名文字入力手段と、第一入力と第一入力の後に選択キーにより選択された方向を入力する第二入力との組み合わせにより仮名文字入力を行う第二仮名文字入力手段と、第二入力の後に選択キーを押下することにより仮名文字入力の変更を行う仮名文字入力変更手段とを有することを特徴とする。
【００１４】
仮名文字入力変更手段は、決定キーを押下するまで、選択キーを連続押下することにより仮名文字入力の変更を続行する手段を有することを特徴とする。
【００１５】
仮名文字入力変更手段は、第一入力に対応するマトリックス表の行の仮名文字の変更を行う手段を有することを特徴とする。
【００１６】
メモリは、テンキーと選択キーとのマトリックス表を有することを特徴とする。
【００１７】
表示部に文字を表示させる文字表示手段は、第一入力が入力されるとテンキーに対応したマトリックス表の仮名文字を表示部に表示させる手段と、第一入力の後第二入力が入力されるとマトリックス表のテンキーと選択キーとに対応する仮名文字に遷移した仮名文字を表示部に表示させる手段とを有することを特徴とする。
【００１８】
クリアキーは、押下されたとき、表示部上で１文字消去し１文字分後退することを特徴とする。
【００１９】
選択キーは、十字キーまたはカーソルキーを有することを特徴とする。
【００２０】
本発明の携帯端末用文字入力方法は、文字入力を行うテンキーおよび記号キーと、４方向の内の１つの方向を選択して入力する選択キーと、文字入力を決定する決定キーと、文字消去を行うクリアキーと、仮名文字をマトリックス表で格納するメモリと、文字表示を行う表示部とを有し、テンキーの内の１つを選択して入力する第一入力により仮名文字入力を行うステップと、第一入力の後に選択キーにより方向を選択して第二入力を行うステップと、第一入力と第二入力との組み合わせから仮名文字入力を行うステップと、第二入力の後に選択キーを押下することにより仮名文字入力変更手段で仮名文字入力の変更を行うステップとを有することを特徴とする。
【００２１】
仮名文字入力変更手段は、決定キーを押下するまで、選択キーを連続押下することにより仮名文字入力の変更を続行することを特徴とする。
【００２２】
仮名文字入力変更手段は、第一入力に対応するマトリックス表の行の仮名文字の変更を行うことを特徴とする。
【００２３】
メモリは、テンキーと選択キーとのマトリックス表を有することを特徴とする。
【００２４】
表示部に文字を表示させる文字表示手段は、第一入力が入力されるとテンキーに対応したマトリックス表の仮名文字を表示部に表示させるステップと、第一入力の後第二入力が入力されるとマトリックス表のテンキーと選択キーとに対応する仮名文字に遷移した仮名文字を表示部に表示させるステップとを有することを特徴とする。
【００２５】
クリアキーは、押下されたとき、表示部上で１文字消去し１文字分後退することを特徴とする。
【００２６】
選択キーは、十字キーまたはカーソルキーを有することを特徴とする。
【００２７】
本発明の携帯端末は、筐体と、筐体に実装される複数のキー群からなる操作部と、文字表示を行う表示部と、表示部に文字を表示させる文字表示手段と、キー群を操作して仮名文字入力を行う仮名文字入力手段と、仮名文字をマトリックス表で格納するメモリとを有し、キー群は、文字入力を行うテンキーおよび記号キーと、４方向の内の１つの方向を選択して入力する選択キーと、文字入力を決定する決定キーと、文字消去を行うクリアキーとを有し、仮名文字入力手段は、テンキーの内の１つを選択して入力する第一入力により仮名文字入力を行う第一仮名文字入力手段と、第一入力と第一入力の後に選択キーにより選択された方向を入力する第二入力との組み合わせにより仮名文字入力を行う第二仮名文字入力手段と、第二入力の後に選択キーを押下することにより仮名文字入力の変更を行う仮名文字入力変更手段とを有することを特徴とする。
【００２８】
仮名文字入力変更手段は、決定キーを押下するまで、選択キーを連続押下することにより仮名文字入力の変更を続行する手段を有することを特徴とする。
【００２９】
仮名文字入力変更手段は、第一入力に対応するマトリックス表の行の仮名文字の変更を行う手段を有することを特徴とする。
【００３０】
メモリは、テンキーと選択キーとのマトリックス表を有することを特徴とする。
【００３１】
文字表示手段は、第一入力が入力されるとテンキーに対応したマトリックス表の仮名文字を表示部に表示させる手段と、第一入力の後第二入力が入力されるとマトリックス表のテンキーと選択キーとに対応する仮名文字に遷移した仮名文字を表示部に表示させる手段とを有することを特徴とする。
【００３２】
クリアキーは、押下されたとき、表示部上で１文字消去し１文字分後退することを特徴とする。
【００３３】
選択キーは、十字キーまたはカーソルキーを有することを特徴とする。
【発明の効果】
【００３４】
文字入力機能を、テンキーおよび記号キーと、４方向の内の１つの方向を選択して入力する選択キー（十字キーまたはカーソルキー）とに持たせ、選択キーを使用することによって、少ない回数のキー操作によって、文字入力を行うことができるという効果がある。
【００３５】
また、決定キーを押下するまで、選択キーの方向を変えて選択して連続押下することにより、文字入力の変更を続行することにより、入力した文字の修正を即時にでき、複数回の修正をも連続して可能とし、操作性を向上させることができるという効果がある。
【００３６】
さらに、従来のキー配置を流用するため、テンキーおよび記号キーと選択キーとが離れて配置されており、視覚的にも使いやすいユーザインタフェースを提供できるという効果がある。
【発明を実施するための最良の形態】
【００３７】
次に、本発明を実施するための最良の形態について、図面を参照して説明する。
【００３８】
図１は、本発明の携帯端末用文字入力装置の実施の形態を示す概略構成ブロック図、図２は、図１中のマトリックス表を説明するための図である。
【００３９】
図１を参照すると、携帯端末用文字入力装置１は、操作部２と、操作部２のキー入力を受け付けるキー入力受付部３と、仮名文字をマトリックス表８１で格納するメモリ８と、文字表示を行う表示部７と、キー入力受付部３によって受け付けられたキー入力に応じて文字を確定する文字確定部５と、キー入力受付部３によって受け付けられたキー入力に応じて表示部７への表示内容を制御する文字表示制御部６と、キー入力受付部３とメモリ８と文字確定部５とを制御する制御部４とで構成され、操作部２は、文字入力を行うテンキー２１および記号キー２２と、４方向の内の１つの方向を選択して入力する十字キー２３と、文字入力を決定する決定キー２４と、文字消去を行うクリアキー２５とで構成され、キー入力受付部３は、テンキー２１の内の１つを選択して入力される第一入力による仮名文字入力を受け付ける第一仮名文字受付部３１と、第一入力と第一入力の後に十字キー２３により選択された方向を入力する第二入力との組み合わせによる仮名文字入力を受け付ける第二仮名文字受付部３２と、第二入力の後に十字キー２３を押下することにより仮名文字入力の変更を受け付ける仮名文字変更受付部３３とで構成され、制御部４は、仮名文字入力の変更制御を行う仮名文字入力変更手段４１を設けて構成される。
【００４０】
ここで、図２を参照して、メモリ８に格納されるマトリックス表８１について説明する。
【００４１】
マトリックス表８１は、テンキー２１および記号キー２２と、選択キー２３とのマトリックスで構成される。
【００４２】
ここで、１〜０のテンキー２１および♯記号、＊記号の記号キー２２からの入力をα入力群、十字キー２３の４方向（↑、→、↓、←）からの入力をβ入力群とし、１〜０のテンキー２１の入力に対応する出力（あ、か、さ、た、な、は、ま、や、ら、わ）をα出力群、十字キー２３の↑方向入力に対応する出力をβ出力群Ａランク（い、き、し、ち、に、ひ、み、ゆ、り、を）、十字キー２３の→方向入力に対応する出力をβ出力群Ｂランク（う、く、す、つ、ぬ、ふ、む、よ、る、ん）、十字キー２３の↓方向入力に対応する出力をβ出力群Ｃランク（え、け、せ、て、ね、へ、め、れ）、十字キー２３の←方向入力に対応する出力をβ出力群Ｄランク（お、こ、そ、と、の、ほ、も、ろ）と称することにする。
【００４３】
濁音、半濁音、小文字になるものは、記号キー２２の♯を使用して、１回押下する毎に、濁音→半濁音→小文字→清音→濁音（以下同様）を繰り返して切り替えられ、記号キー２２の＊は、「。」、「、」の入力に用い、キーを押下する毎に、「。」→「、」→無入力→「。」（以下同様）を繰り返して切り替えられる。
【００４４】
例えば、α入力群を押下（第一入力）後、β入力群↑（図中、↑（Ａ））を押下（第二入力）すると、α出力群の何れかの仮名文字を表示し、その後、α出力群の何れかの仮名文字に変わって、β出力群Ａランクの何れかの文字を表示することになる。
【００４５】
次に、携帯端末用文字入力装置１の動作について、図面を参照して説明する。
【００４６】
図３は、携帯端末用文字入力装置１の動作を示すフローチャートである。
【００４７】
なお、文字入力は、上述のメモリ８のマトリックス表８１を読み出し、マトリックス表８１に基付いて行われる。
【００４８】
図３を参照すると、文字入力処理を開始し、文字入力待ち状態となる（Ｓ１）。
【００４９】
この状態で、操作部２から文字入力が行われるが、文字入力がテンキー２１のα入力群の押下、十字キー２３のβ入力群の押下、クリアキー２５の押下の何れであるかをキー入力受付部３の何れの受付部に入力されたかを制御部４で判定し（Ｓ２）、β入力群の押下のとき（第二仮名文字受付部３２に入力）は、入力部の移動を行い（Ｓ８）、クリアキー２５の押下のときは、既に文字入力があるか否かの判定を行い（Ｓ９）、既に文字が入力されている場合、１文字消去し１文字分後退し（Ｓ１０）、何も文字がない場合は、なにも動作しない。
【００５０】
なお、クリアキー２５、決定キーを押下した入力を受け付ける受付部は、図１中では、図示省略している。
【００５１】
（Ｓ２）において、α入力群の何れかを押下したとき（第一仮名文字受付部３１に入力）は、文字確定部５により、α出力群の何れかの文字が確定され、文字表示制御部６の制御により、確定された文字が表示部７に表示される（Ｓ３）。例えば、α入力群の「１」が押下されたとき、「あ」が表示される。
【００５２】
次の入力がテンキー２１、十字キー２３、クリアキー２５の何れの押下による入力であるかを判定し（Ｓ４）、十字キー２３のβ入力群の押下であるとき、文字確定部５により、β出力群Ａランク〜β出力群Ｄランクの何れかの文字が確定され、表示部７に表示される（Ｓ５）。例えば、β入力群↑を押下したとき、「い」が表示部７に表示される。
【００５３】
次の入力がテンキー２１、十字キー２３、クリアキー２５の何れの押下による入力であるかを判定し（Ｓ６）、テンキー２１のα入力群の押下のとき、表示部７の右に入力部を移動し、α出力群の何れかの文字が表示部７に表示され（Ｓ７）、β入力群の押下であるとき、（Ｓ５）に戻る。例えば、α入力群の「２」が押下されたとき、「いか」と表示され、β入力群→が押下されたとき、「う」が表示される。
【００５４】
このように、β入力群（十字キー２３）の連続押下により、仮名文字変更受付部３３に入力されると、仮名文字入力変更手段４１により、仮名文字入力の変更を続行でき、テンキー２１の数字入力に対応するマトリックス表８１の行の仮名文字の変更を行うことができる。例えば、上述の「う」を表示後、直ちにβ入力群↓の押下で「え」が表示され、その後直ちにβ入力群→の押下で「え」の表示が「う」に変換されて表示され、何度でも十字キー２３の押下により、表示文字を変換することができる。
【００５５】
上記（Ｓ４）において、α入力群の押下のとき、表示部７の右に入力部を移動し、α出力群の何れかの文字が表示部７に表示される（Ｓ７）。例えば、α入力群の「２」が押下されたとき、「あか」と表示される。
【００５６】
上記（Ｓ４）、および、（Ｓ６）において、クリアキー２５の押下のときは、共に、上記（Ｓ９）に進む。
【００５７】
決定キー２４が押下されるまで、上記処理を、繰り返して行うことにより、所望の文字入力がなされる。
【００５８】
決定キー２４押下後は、変換処理系に移行するが、変換処理系に関する説明は、省略する。
【００５９】
ここで、一例として、「そのままにしておきましょう」の仮名文字入力を行うときの具体的な操作について、説明する。
【００６０】
十字キー２３と記号キー２２とを使用して、「３、←、５、←、７、７、５、↑、３、↑、４、↓、１、←、２、↑、７、３、↑、８、→、♯、１、→」の順で入力操作することにより、「そのままにしておきましょう」の仮名文字入力を行うことができる。
【００６１】
次に、本発明の携帯端末の一実施の形態について、図面を参照して説明する。
【００６２】
図４は、本発明の携帯端末を示す（携帯端末の一例として携帯電話を示す）概略外観図、図５は、携帯電話１０の概略構成ブロック図である。
【００６３】
なお、既述の携帯端末用文字入力装置１と同一構成要素は、同一符号で表示する。
【００６４】
図４および図５を参照すると、携帯電話１０は、上部筐体９１と下部筐体９２とで構成される筐体９と、下部筐体９２に実装される複数のキー群からなる操作部２と、操作部２のキー入力を受け付けるキー入力受付部３と、仮名文字をマトリックス表８１で格納するメモリ８と、文字表示を行う表示部７と、キー入力受付部３によって受け付けられたキー入力に応じて表示部７への表示内容を制御する文字表示制御部６と、キー入力受付部３によって受け付けられたキー入力に応じて文字を確定する文字確定部５と、呼出・メッセージの送受信、通信を行う電話機能部１５と、キー入力受付部３とメモリ８と文字確定部５と電話機能部１５とを制御する制御部１４とで構成され、操作部２は、文字入力を行うテンキー２１および記号キー２２と、４方向の内の１つの方向を選択して入力する十字キー２３と、文字入力を決定する決定キー２４と、文字消去を行うクリアキー２５とを備え、
キー入力受付部３は、テンキー２１の内の１つを選択して入力される第一入力による仮名文字入力を受け付ける第一仮名文字受付部３１と、第一入力と第一入力の後に十字キー２３により選択された方向を入力する第二入力との組み合わせによる仮名文字入力を受け付ける第二仮名文字受付部３２と、第二入力の後に十字キー２３を押下することにより仮名文字入力の変更を受け付ける仮名文字変更受付部３３とで構成され、制御部４は、仮名文字入力の変更制御を行う仮名文字入力変更手段４１を設けて構成される。
【００６５】
なお、図４に示す携帯電話１０は、ヒンジ部１１を支点として上部筐体９１が開閉する構造としているが、この構造は限定されるものではなく、上部筐体９１がヒンジ部１１の周りに回転する構造、上部筐体９１または下部筐体９２がスライドする構造としても良いことは、云うまでもない。
【００６６】
上述のように構成された携帯電話１０は、電話機能部１５により、呼出・メッセージの送受信、電気通信ネットワーク上での通信を行う機能を備えた点が既述の携帯端末用文字入力装置１と異なるが、文字入力動作は、携帯端末用文字入力装置１の動作と同一であり、詳細な説明を省略する。
【図面の簡単な説明】
【００６７】
【図１】本発明の携帯端末用文字入力装置の実施の形態を示す概略構成ブロック図である。
【図２】図１中のマトリックス表を説明するための図である。
【図３】携帯端末用文字入力装置の動作を示すフローチャートである。
【図４】本発明の携帯電話を示す概略外観図である。
【図５】本発明の携帯電話の概略構成ブロック図である。
【符号の説明】
【００６８】
１    携帯端末用文字入力装置
２    操作部
２１    テンキー
２２    記号キー
２３    十字キー
２４    決定キー
２５    クリアキー
３    キー入力受付部
３１    第一仮名文字受付部
３２    第二仮名文字受付部
３３    仮名文字変更受付部
４、１４    制御部
４１    仮名文字入力変更手段
５    文字確定部
６    文字表示制御部
７    表示部
８    メモリ
８１    マトリックス表
９    筐体
９１    上部筐体
９２    下部筐体
１０    携帯電話
１１    ヒンジ部
１５    電話機能部
【図１】
2005056275.tif 000003
【図２】
2005056275.tif 000004
【図３】
2005056275.tif 000005
【図４】
2005056275.tif 000006
【図５】
2005056275.tif 000007